(57)【要約】【課題】他の機器に影響を及ぼす電磁波の漏洩を極力低減したプラズマディスプレイ装置を提供する。【解決手段】プラズマディスプレイ装置を、鋼板からなるリアケース２と、同リアケース２の背面部前面に固定されたプラズマディスプレイパネル１と、同プラズマディスプレイパネル１の前面に設けられ、前記リアケース２の周縁部とともに四側周囲を枠体状のホルダ３に固定される光学フィルタ７とから構成し、前記ホルダ３を上辺部と下辺部及び右辺部と左辺部及びこれらを連結する連結部に分割して形成する一方、同ホルダ３に前記光学フィルタ７の端縁と前記リアケース２の周縁部とを収納する収納溝４ａと同収納溝４ａに連なり、導電性部材８を保持する保持溝４ｂを設け、同導電性部材８の接触端子８ａを光学フィルタ７の端縁に接触させ導通を行わせる．【選択図】　図１
2004012561.tif 000002
【特許請求の範囲】
【請求項１】
周縁部と、同周縁部に連なる背面部とからなるリアケースと、同リアケースの背面部内壁面に固定されたプラズマディスプレイパネルと、同プラズマディスプレイパネルの前面に設けられ、光透過性と導電性とを備えた光学フィルタと、同光学フィルタの周縁部と前記リアケースの周縁部とを保持する枠体状のホルダとからなり、
同ホルダを、上辺部と下辺部及び右辺部と左辺部及びこれらを連結するＬ字状の連結部とから構成する一方、同ホルダに前記光学フィルタの周縁部と前記リアケースの周縁部とを収納する収納溝を設けるとともに、同収納溝に連なり導電性部材を嵌入した保持溝を設け、前記導電性部材に連続形成された多数の接触端子を前記光学フィルタの端縁に接触させてなることを特徴とするプラズマディスプレイ装置。
【請求項２】
前記接触端子が、切り起こしにより円弧状に形成されてなることを特徴とする請求項１に記載のプラズマディスプレイ装置。
【請求項３】
前記光学フィルタの端面に、前記接触端子に対応した略三角形状の切欠きを連続形成してなることを特徴とする請求項１または請求項２に記載のプラズマディスプレイ装置。
【請求項４】
前記ホルダの上辺部及び下辺部の両側端面に螺子孔を穿設する一方、前記連結部に前記螺子孔に対応した挿通孔を穿設し、同連結部の前記右辺部及び前記左辺部に対応した端面に夫々係止爪を備えた係止部を突設する一方、前記右辺部及び前記左辺部の両側端面に前記係止部が係止する係止孔を夫々設けてなることを特徴とする請求項１に記載のプラズマディスプレイ装置。
【発明の詳細な説明】
【０００１】
【発明の属する技術分野】
本発明は、ＰＤＰ（プラズマディスプレイパネル）による表示装置の構造に関する。
【０００２】
【従来の技術】
従来のプラズマディスプレイパネル（以下ＰＤＰと記載）装置は、例えば図４（Ａ）で示すように、リアケース２５と、同リアケース２５の前面に装着される枠体状のホルダ２２とで外郭筐体を構成している。前記リアケース２５の前面内壁にはＰＤＰ２０が固着され、前記ホルダ２２には金属性の材料からなる取付具２３により、光透過性を備えた板状の光学フィルタ２１が取付けられている。
【０００３】
前記ＰＤＰ２０からは電磁波としてのノイズが発生し、これらノイズが外部に漏洩すると他のＯＡ機器やあるいは通信機器等に影響を与え誤動作させる恐れがある。このため前記光学フィルタ２１は光透過性とともに電磁波シールド性を備えた材料から形成され、前記ＰＤＰ２０から発生するノイズを極力遮蔽するようになっている。
【０００４】
ノイズの外部への漏洩を防止する他の手段として、前記ＰＤＰ２０を固着した前記リアケース２５と前記光学フィルタ２１との間の電気的な導通性を高める方法がある。このため図４（Ａ）で示すように、前記リアケース２５と、前記光学フィルタ２１を保持する前記取付具２３とを導電性部材２４で接続する一方、図４（Ｂ）で示すように、前記取付具２３の前記光学フィルタ２１との接触面に多数の突部２３ａを形成し、前記取付具２３と前記光学フィルタ２１との電気的な接触性を高めてノイズの漏洩を防止するようになっている。
【０００５】
しかしながら、前記光学フィルタ２１は部材としての外形寸法あるいは厚みの寸法のバラツキが大きく、前記取付具２３に前記突部２３ａを設けても接触が不充分な部分が存在し、満足する電磁シールド性が得られなかったり、また、前記取付具２３による前記光学フィルタ２１の組付け作業は、作業者に過剰な負担を強いるというような問題点を抱えていた。
【０００６】
【発明が解決しようとする課題】
本発明は上記問題点に鑑み、光学フィルタとリアケースとの電気的な伝導性を高めて電磁シールド性を向上させる一方、光学フィルタのホルダへの組付けを容易にして組立性を向上させたＰＤＰ装置を提供することを目的とする。
【０００７】
【課題を解決するための手段】
本発明は上記課題を解決するため、周縁部と、同周縁部に連なる背面部とからなるリアケースと、同リアケースの背面部内壁面に固定されたプラズマディスプレイパネルと、同プラズマディスプレイパネルの前面に設けられ、光透過性と導電性とを備えた光学フィルタと、同光学フィルタの周縁部と前記リアケースの周縁部とを保持する枠体状のホルダとからなり、
同ホルダを、上辺部と下辺部及び右辺部と左辺部及びこれらを連結するＬ字状の連結部とから構成する一方、同ホルダに前記光学フィルタの周縁部と前記リアケースの周縁部とを収納する収納溝を設けるとともに、同収納溝に連なり導電性部材を嵌入した保持溝を設け、前記導電性部材に連続形成された多数の接触端子を前記光学フィルタの端縁に接触させてなる構成となっている。
【０００８】
また、前記接触端子が、切り起こしにより円弧状に形成されてなる構成となっている。
【０００９】
また、前記光学フィルタの端面に、前記接触端子に対応した略三角形状の切欠きを連続形成してなる構成となっている。
【００１０】
また、前記ホルダの上辺部及び下辺部の両側端面に螺子孔を穿設する一方、前記連結部に前記螺子孔に対応した挿通孔を穿設し、同連結部の前記右辺部及び前記左辺部に対応した端面に夫々係止爪を備えた係止部を突設する一方、前記右辺部及び前記左辺部の両側端面に前記係止部が係止する係止孔を夫々設けてなる構成となっている。
【００１１】
【発明の実施の形態】
以下、本発明の実施の形態を、添付図面に基づいた実施例として詳細に説明する。
図１は本発明によるＰＤＰ装置を示す断面図であり、図２はホルダと光学フィルタとを示す分解図である。また図３は要部断面図である。
本発明によるＰＤＰ装置は、図１で示すように、後述するホルダに組込まれる周縁部と、同周縁部から後方に台形状に窪む背面部とからなり鋼板材から形成されたリアケース２と、同リアケース２の背面部前面に固定されたプラズマディスプレイパネル１と、同プラズマディスプレイパネル１の前面に設けられ、前記リアケース２の周縁部とともに周縁部をホルダ３に保持され、表面と裏面及び周囲の端面が導電処理された光学フィルタ７とから構成されている。
【００１２】
前記光学フィルタ７は導電性と光透過性とを備え、前記プラズマディスプレイパネル１から発せられた表示画像のコントラストの改善を行なう一方、電磁波シールド性を備え、表示画像と共に放射された電磁波としてのノイズを極力遮蔽できるようになっている。
【００１３】
前記ホルダ３はＡＢＳ（アクリルニトリルブタジエンスチレン）等の樹脂材からなり、図２で示すように、長尺状に形成された上辺部４と、同上辺部４を上下に対称に配置した下辺部４及び短尺状に形成された右辺部５と、同右辺部５を左右に対称に配置した左辺部５及びＬ字状に折曲して形成され、これら辺部を連結する複数の連結部６とから構成されている。これら辺部及び前記連結部６には、図１の断面図で示すように、前記光学フィルタ７と前記リアケース２との周縁部を収納する収納溝が長手方向に沿って形成されており、同図においては前記上辺部４及び前記下辺部４に形成された収納溝４ａが示されている。
【００１４】
前記収納溝４ａの底部には左右に拡幅した保持溝４ｂが更に形成されており、同保持溝４ｂには、導電性が高い薄鋼板からなる導電性部材８が嵌入されている。これは前記下辺部４と前記右辺部５及び前記左辺部５も同様である。同導電性部材８は、図２で示すように、例えば長板状の銅材に円弧状に切り起こされた接触端子８ａを長手方向に連続形成しており、図１で示すように、前記リアケース２の端面と一端縁を接合され、同リアケース２と電気的な導通がはかられるようになっている。
【００１５】
前記連結部６には螺子頭部を収納する孔６ａと、同孔６ａから連穿された挿通孔６ｂが設けられるとともに、下端面の一側には左右に分割され夫々の先端に爪部を形成する一方、可撓性を備えた係止部６ｃが設けられている。前記上辺部４及び下辺部４の両側端面には、前記挿通孔６ｂに対応した螺子孔４ｃが夫々穿設され、前記右辺部５及び左辺部５の上下両端面には、前記係止部６ｃに対応して底部に前記爪部が係止する係止面を備えた係止孔５ａが夫々穿設されている。また光学フィルタ７の四則周囲には、前記導電部材８の接触端子８ａに対応して略三角形状の切欠き７ａが連続して形成されている。
【００１６】
次に、本願によるＰＤＰ装置の組立について説明する。まず前記リアケース２の内壁前面に前記ＰＤＰ１を装着する。次に、前記連結部６の係止部６ｃを前記右辺部５及び左辺部の係止孔５ａに夫々挿入するとともに、爪部を係止させこれにより前記連結部６と前記右辺部５及び左辺部とを連結させる。続いて前記光学フィルタ７の左右両端縁と、前記リアケース２の左右周縁部とを前記右辺部５及び左辺部及び連結部６に形成された収納溝に収納する一方、前記保持溝４ｂに嵌入された前記導電性部材８の接触端子８ａの外周面を前記光学フィルタ７に設けられた切欠き７ａに夫々当接させる。
【００１７】
次に、前記上辺部４及び下辺部４とを上下方向から夫々、前記収納溝４ａに前記光学フィルタ７の上下両側縁と前記リアケース２の上下周縁部とを収納するように被せる一方、前記導電性部材８の接触端子８ａの外周面を前記光学フィルタ７の上下端縁に形成された前記切欠き７ａに夫々当接させる。続いて螺子９を前記連結部６に設けられた前記挿通孔６ｂに挿通させ前記上辺部４及び下辺部４に設けられた前記螺子孔４ｃに螺合させることにより枠体としての前記ホルダ３が全て組付けられＰＤＰ装置の組立が完了するようになっている。
【００１８】
組立が完了すると、図３で示すように、前記接触端子８ａの外周面が前記光学フィルタ７に形成された切欠き７ａの左右２点に渡り接触し、また同接触端子８ａが多数設けられていることにより、前記導電性部材８と前記光学フィルタ７との間の導電性が非常に高まる一方、前記導電性部材８に接合面されたリアケース２と前記光学フィルタ７との間の導電性も高まるようになっている。
【００１９】
上記したように、前記光学フィルタ７、前記導電性部材８及び前記リアケース２との間の導電性が高まることにより、前記プラズマディスプレイパネル１で発生した電磁波によるノイズは前記光学フィルタ７から前記導電性部材８を経て前記リアケース２へと、あるいはこの逆に伝搬することとなり、これによりＰＤＰ装置からの外部への電磁波の漏洩を極力防止できるようになっている。また、前記ホルダ３が分割されており、これを順次組付けていけば装置全体が組立られるようになっており組立作業性が改善された構成となっている。
【００２０】
【発明の効果】
以上説明したように、本発明によると、ＰＤＰ装置を、鋼板からなるリアケースと、同リアケースの背面部前面に固定されたプラズマディスプレイパネルと、同プラズマディスプレイパネルの前面に設けられ、前記リアケースの周縁部とともに周縁部を枠体状のホルダに固定される光学フィルタとから構成し、前記ホルダを上辺部と下辺部及び右辺部と左辺部及びこれらを連結する連結部に分割して形成する一方、同ホルダに前記光学フィルタの端縁と前記リアケースの周縁部とを収納する収納溝と同収納溝に連なり、導電性部材を保持する保持溝を設け、同導電性部材の接触端子を光学フィルタの端縁に接触させ導通を行わせることにより、電磁波遮蔽効果のより向上したＰＤＰ装置とすることができる。
【図面の簡単な説明】
【図１】本発明によるＰＤＰ装置を示す断面図である。
【図２】ホルダと光学フィルタとを示す分解図である。
【図３】導電性部材と光学フィルタとを示す要部断面図である。
【図４】従来のＰＤＰ装置の断面図と、その要部断面図である。
【符号の説明】
１　プラズマディスプレイパネル
２　リアケース
３　ホルダ
４　上辺部、下辺部
４ａ　収納溝
４ｂ　保持溝
４ｃ　螺子孔
５　右辺部、左辺部
５ａ　係止孔
６　連結部
６ａ　孔
６ｂ　挿通孔
７　光学フィルタ
７ａ　切欠き
８　導電性部材
８ａ　接触端子
９　螺子
【図１】
2004012561.tif 000003
【図２】
2004012561.tif 000004
【図３】
2004012561.tif 000005
【図４】
2004012561.tif 000006